(57)【要約】      （修正有）【課題】穀粒を単位粒毎にその特性を測定する水分計において、単粒を圧砕し圧砕単粒の特性に応じた測定信号を出力する電極ロールに単粒を送り込む際の詰まりをなくし多数の穀粒に対する特性測定を次々と効率よく実行可能とする詰粒移送機構を提供する。【解決手段】詰粒移送機構４１は、スクリュー１１、１２のうちの少なくとも一方のスクリュー１１の支持軸に同軸配置に、かつ、第一の支持基盤８の近傍位置に軸支されて回転駆動されるとともに、外周の一部に通過穴７の領域を回転領域とする爪部を突出させ、通過穴７の領域又はその近傍領域に詰まる単粒Ｍを爪部の回転による当接力で通過穴７を通過させ、電極ロール２３、２４側に移送する除去円板を配置したものである。【選択図】図２
0003198551.tif 000002
【実用新案登録請求の範囲】
【請求項１】
穀類の単粒の通過穴を具備する第１の支持基板と、
この第１の支持基板と対向配置された第２の支持基板と、
前記第１の支持基板、第２の支持基板により平行配置に軸支されるとともに第１の支持基板の外面側に配置され、回転駆動されて穀類の単粒を単粒毎に通過穴側に移送する一対のスクリューと、
を備え、
前記第１の支持基板及び第２の支持基板間で前記通過穴の下方に配置した単粒を圧砕し圧砕単粒の特性に応じた測定信号を出力する一対の電極ロールに前記単粒を送り込む単粒移送機構部を有する単粒水分計の詰粒移送機構であって、
前記一対のスクリューのうちの少なくとも一方におけるスクリューと同軸配置で軸支されて回転駆動されるとともに、外周の一部に前記通過穴の領域を回転領域とする爪部を突出させ、前記通過穴の領域又はその近傍領域に詰まる単粒を前記爪部の回転による当接力で前記一対の電極ロール側に移送する除去円板を配置したことを特徴とする単粒水分計の詰粒移送機構。
【請求項２】
穀類の単粒の通過穴を具備する第１の支持基板と、
この第１の支持基板と対向配置された第２の支持基板と、
前記第１の支持基板、第２の支持基板に対して平行に配置した第１の支持軸、第２の支持軸により軸支されるとともに第１の支持基板の外面側に配置され、回転駆動されて穀類の単粒を単粒毎に通過穴側に移送する一対のスクリューと、
を備え、
前記一対のスクリューにより、前記第１の支持基板及び第２の支持基板間で前記通過穴の下方領域において、これら第一の支持基板、第２の支持基板に対して平行に配置した第１の電極支持軸、第２の電極支持軸により軸支され、回転駆動されて、単粒を圧砕し圧砕単粒の特性に応じた測定信号を出力する一対の電極ロールに前記単粒を送り込む単粒移送機構部を有する単粒水分計の詰粒移送機構であって、
前記一対のスクリューのうちの少なくとも一方におけるスクリューの支持軸に同軸配置で、かつ、前記第１の支持基板の近傍位置に軸支されて回転駆動されるとともに、外周の一部に前記通過穴の領域を回転領域とする爪部を突出させ、前記通過穴の領域又はその近傍領域に詰まる単粒を前記爪部の回転による当接力で前記一対の電極ロール側に移送する除去円板を配置したことを特徴とする単粒水分計の詰粒移送機構。
【請求項３】
前記第１の支持基板における通過穴の下部には、この通過穴を通過した単粒を前記一対の電極ロールの中央部に滑落させる滑落ガイド板、単粒滑落板を配置していることを特徴とする請求項１又は２記載の単粒水分計の詰粒移送機構。
【請求項４】
前記第１の支持基板における少なくとも一方におけるスクリューの支持軸の軸支部分には、前記除去円板の爪部の回転領域に沿い、かつ、両端部が前記通過穴に連なる爪部通過用円形凹溝が設けられていることを特徴とする請求項１乃至３のいずれか１項に記載の単粒水分計の詰粒移送機構。
【請求項５】
穀類の単粒の通過穴を具備する第１の支持基板と、
この第１の支持基板と対向配置された第２の支持基板と、
前記第１の支持基板、第２の支持基板により平行配置に軸支されるとともに第１の支持基板の外面側に配置され、回転駆動されて穀類の単粒を単粒毎に通過穴側に移送する一対のスクリューと、
を備え、
前記第１の支持基板及び第２の支持基板間で前記通過穴の下方に配置した単粒を圧砕し圧砕単粒の特性に応じた測定信号を出力する一対の電極ロールに前記単粒を送り込む単粒移送機構部と、
前記一対のスクリューのうちの少なくとも一方におけるスクリューと同軸配置で軸支されて回転駆動されるとともに、外周の一部に前記通過穴の領域を回転領域とする爪部を突出させ、前記通過穴の領域又はその近傍領域に詰まる単粒を前記爪部の回転による当接力で前記一対の電極ロール側に移送する除去円板を配置した詰粒移送機構と、
前記一対の電極ロール及び一対のスクリューを回転駆動する回転駆動部と、
前記一対の電極ロールから出力される圧砕単粒の特性に応じた測定信号を基に前記単粒の水分値、平均水分値、偏差、測定粒数、度数分布等の特性を求める単粒特性測定部と、
前記一対の電極ロールの下方に落下する圧砕単粒を集積するトレイと、
を有することを特徴とする単粒水分計。
【請求項６】
穀類の単粒の通過穴を具備する第１の支持基板と、
この第１の支持基板と対向配置された第２の支持基板と、
前記第１の支持基板、第２の支持基板に対して平行に配置した第１の支持軸、第２の支持軸により軸支されるとともに第１の支持基板の外面側に配置され、回転駆動されて穀類の単粒を単粒毎に通過穴側に移送する一対のスクリューと、
を備え、
前記一対のスクリューにより、前記第１の支持基板及び第２の支持基板間で前記通過穴の下方領域において、これら第１の支持基板、第２の支持基板に対して平行に配置した第１の電極支持軸、第２の電極支持軸により軸支され、回転駆動されて、単粒を圧砕し圧砕単粒の特性に応じた測定信号を出力する一対の電極ロールに前記単粒を送り込む単粒移送機構部と、
前記一対のスクリューのうちの少なくとも一方におけるスクリューの支持軸に同軸配置で、かつ、前記第１の支持基板の近傍位置に軸支されて回転駆動されるとともに、外周の一部に前記通過穴の領域を回転領域とする爪部を突出させ、前記通過穴の領域又はその近傍領域に詰まる単粒を前記爪部の回転による当接力で前記一対の電極ロール側に移送する除去円板を備える詰粒移送機構と、
前記一対の電極ロール及び一対のスクリューを回転駆動する回転駆動部と、
前記一対の電極ロールから出力される圧砕単粒の特性に応じた測定信号を基に前記単粒の水分値、平均水分値、偏差、測定粒数、度数分布等の特性を求める単粒特性測定部と、
前記一対の電極ロールの下方に落下する圧砕単粒を集積するトレイと、
を有することを特徴とする単粒水分計。
【請求項７】
前記第１の支持基板における通過穴の下部には、この通過穴を通過した単粒を前記一対の電極ロールの中央部に滑落させる滑落ガイド板、単粒滑落板を配置していることを特徴とする請求項５又は６記載の単粒水分計。
【請求項８】
前記第１の支持基板における少なくとも一方におけるスクリューの支持軸の軸支部分には、前記除去円板の爪部の回転領域に沿い、かつ、両端部が前記通過穴に連なる爪部通過用円形凹溝が設けられていることを特徴とする請求項５乃至７のいずれか１項に記載の単粒水分計。
【考案の詳細な説明】
【技術分野】
【０００１】
本考案は、単粒水分計の詰粒移送機構及びこの機構を用いた単粒水分計に関し、詳しくは、測定信号を出力する一対の電極ロールに単粒を送り込む際の単粒の詰まりを無くし、多数の穀粒に対する特性測定を次々と効率よく実行可能とする単粒水分計の詰粒移送機構及びこの機構を用いた単粒水分計に関するものである。
【背景技術】
【０００２】
例えば、精白米等のような穀粒の水分値等を測定する単粒水分計における穀粒の測定系への取り込みは、下記のような順序で行われるのが一般的である。
【０００３】
すなわち、水分計外部に突き出た一対のロールスクリューに、穀粒が一粒ずつ投入されて移送されて行き、水分計本体の入口へ送られる。
【０００４】
次に、穀粒は水分計の入口の取り込み穴を通過し、水分計本体内部の滑り台状の通過溝を経て内部に設けている一対の電極ロール上に一粒ずつ落下する。
【０００５】
そして、一対の電極ロールにより圧砕しながら電極ロール間に挟まれた穀粒の電気抵抗を測定し、水分計本体に内蔵されたマイクロコンピュータにより一粒ごとの水分値等の特性値を求める。
【０００６】
しかし、従来の水分計では、取り込まれる穀粒は、その大きさや形状により稀に水分計本体の通過穴や水分計内部の滑り台状の通過溝部分で詰まり滞留する場合があり、後続の穀粒が次々と滞留状態となり、多数の穀粒に対する特性測定を効率よく実行できないという問題が生じていた。
【０００７】
特許文献１には、穀粒を単粒ごとに一対の電極ロール間に供給し該穀粒を扶持圧砕しながらこの扶持圧砕時の水分情報を電気的信号として検出する水分測定装置において、上記一対の電極ロールのうち少なくとも一方の電極ロールの表面には電極ロールを支持する回転軸と略平行に複散条のＶ字状溝を形成して連続の山型条を形成し、この山型条の先端部を平面状とするとともに、他方の電極ロールの表面には回転軸に対して所定角をなす複数条のＶ字状溝を形成して連続の山型状を形成し、この山形状の先端部を平面状とした構成が提案されている。
【０００８】
しかし、この水分測定装置においても、単粒を電極ロールに送り込む前の段階で、その詰まり状態が生じることを防止し得る対策を講じたものではない。
【先行技術文献】
【特許文献】
【０００９】
【特許文献１】特開２００５−７７２１２号公報
【考案の概要】
【考案が解決しようとする課題】
【００１０】
本考案が解決しようとする問題点は、穀粒を単粒毎にその特性を測定する水分計において、単粒を圧砕し圧砕単粒の特性に応じた測定信号を出力する一対の電極ロールに単粒を送り込む際の単粒の詰まりを無くし、多数の穀粒に対する特性測定を次々と効率よく実行可能とするような詰粒移送機構が従来存在しない点である。
【課題を解決するための手段】
【００１１】
本考案に係る単粒水分計の詰粒移送機構は、穀類の単粒の通過穴を具備する第１の支持基板と、この第１の支持基板と対向配置された第２の支持基板と、前記第１の支持基板、第２の支持基板により平行配置に軸支されるとともに第１の支持基板の外面側に配置され、回転駆動されて穀類の単粒を単粒毎に通過穴側に移送する一対のスクリューとを備え、前記第１の支持基板及び第２の支持基板間で前記通過穴の下方に配置した単粒を圧砕し圧砕単粒の特性に応じた測定信号を出力する一対の電極ロールに前記単粒を送り込む単粒移送機構部を有する単粒水分計の詰粒移送機構であって、前記一対のスクリューのうちの少なくとも一方のスクリューと同軸配置で軸支されて回転駆動されるとともに、外周の一部に前記通過穴の領域を回転領域とする爪部を突出させ、前記通過穴の領域又はその近傍領域に詰まる単粒を前記爪部の回転による当接力で前記一対の電極ロール側に移送する除去円板を配置したことを最も主要な特徴とする。
【考案の効果】
【００１２】
請求項１、２記載の考案によれば、スクリューにより移送され、前記通過穴の領域又はその近傍領域に詰まる単粒を前記爪部の回転による当接力で詰まり状態を生じさせることなく円滑に通過穴を通過させ、一対の電極ロールの上方からその中央部に滑落させることができる単粒水分計の詰粒移送機構を実現し提供することができる。
【００１３】
請求項３記載の考案によれば、請求項１又は２記載の考案の構成に加えて、第１の支持基板の通過穴の下部には、この通過穴を通過した単粒を前記一対の電極ロールの中央部に滑落させる滑落ガイド板、単粒滑落板を配置していることから、通過穴を通過した単粒を確実に一対の電極ロールの中央部に滑落させ、特性測定に供することができる単粒水分計の詰粒移送機構を実現し提供することができる。
【００１４】
請求項４記載の考案によれば、請求項１乃至３のいずれかに記載の考案の構成に加えて、第１の支持基板における少なくとも一方のスクリューの支持軸の軸支部分には、前記除去円板の爪部の回転領域に沿い、かつ、両端部が前記通過穴に連なる爪部通過用円形凹溝を設けているので、単粒の詰まり除去動作を行う除去円板の爪部の回転動作を支障なく実行させることができる単粒水分計の詰粒移送機構を実現し提供することができる。
【００１５】
請求項５、６記載の考案によれば、請求項１、２記載の考案の詰粒移送機構を含む構成としているので、通過穴の領域又はその近傍領域における単粒の詰まりを無くしつつ一対の電極ロールにより単粒を圧砕し圧砕単粒の特性に応じた測定信号を得て、単粒特性測定部により前記単粒の水分値、平均水分値、偏差、測定粒数、度数分布等の特性を効率よく測定することができ単粒水分計を実現し提供することができる。
【００１６】
請求項７記載の考案によれば、請求項５又は６記載の考案の構成に加えて、第１の支持基板の通過穴の下部には、この通過穴を通過した単粒を前記一対の電極ロールの中央部に滑落させる滑落ガイド板、単粒滑落板を配置していることから、通過穴を通過した単粒を確実に一対の電極ロールの中央部に滑落させ、特性測定に供することができる単粒水分計を実現し提供することができる。
【００１７】
請求項８記載の考案によれば、請求項５乃至７のいずれかに記載の考案の構成に加えて、第１の支持基板における少なくとも一方のスクリューの支持軸の軸支部分には、前記除去円板の爪部の回転領域に沿い、かつ、両端部が前記通過穴に連なる爪部通過用円形凹溝を設けているので、単粒の詰まり除去動作を行う除去円板の爪部の回転動作を支障なく実行させることができる単粒水分計を実現し提供することができる。
【図面の簡単な説明】
【００１８】
【図１】図１は本考案の実施に係る詰粒移送機構を含む単粒水分計の全体構成を示す概略構成図である。
【図２】図２は本実施例に係る詰粒移送機構を含む単粒水分計の第１の支持基板、第２の支持基板、一対のスクリュー、一対の電極ロールを示す概略斜視図である。
【図３】図３は本実施例に係る詰粒移送機構を含む単粒水分計における第１の支持基板の一対のスクリュー側の面を示す概略図である。
【図４】図４は本実施例に係る詰粒移送機構を含む単粒水分計における第１の支持基板の電極ロール側の面を示す概略図である。
【図５】図５は本考案の実施例に係る詰粒移送機構を含む単粒水分計の除去円板の概略斜視図である
【図６】図６は本考案の実施例に係る詰粒移送機構を含む単粒水分計の第１の支持基板、通過穴、一対のスクリューを示す概略分解斜視図である．
【考案を実施するための形態】
【００１９】
本考案は、穀粒を単粒毎にその特性を測定する水分計において、単粒を圧砕し圧砕単粒の特性に応じた測定信号を出力する一対の電極ロールに単粒を送り込む際の単粒の詰まりを無くし、多数の穀粒に対する特性測定を次々と効率よく実行可能とする詰粒移送機構を提供するという目的を、穀類の単粒の通過穴を具備する第１の支持基板と、この第１の支持基板と対向配置された第２の支持基板と、前記第１の支持基板、第２の支持基板に対して平行に配置した第１の支持軸、第２の支持軸により軸支されるとともに第１の支持基板の外面側に配置され、回転駆動されて穀類の単粒を単粒毎に通過穴側に移送する一対のスクリューとを備え、前記一対のスクリューにより、前記第１の支持基板及び第２の支持基板間で前記通過穴の下方領域において、これら第一の支持基板、第２の支持基板に対して平行に配置した第１の電極支持軸、第２の電極支持軸により軸支され、回転駆動されて、単粒を圧砕し圧砕単粒の特性に応じた測定信号を出力する一対の電極ロールに前記単粒を送り込む単粒移送機構部を有する単粒水分計の詰粒移送機構であって、前記一対のスクリューのうちの少なくとも一方のスクリューの支持軸に同軸配置で、かつ、前記第１の支持基板の近傍位置に軸支されて回転駆動されるとともに、外周の一部に前記通過穴の領域を回転領域とする爪部を突出させ、前記通過穴の領域又はその近傍領域に詰まる単粒を前記爪部の回転による当接力で前記一対の電極ロール側に移送する除去円板を配置した構成によりにより実現した。
【実施例】
【００２０】
以下、本考案の実施例に係る詰粒移送機構を含む単粒水分計について図面を参照して詳細に説明する。
【００２１】
最初に、図１を参照して、本実施例に係る詰粒移送機構４１を含む単粒水分計１について説明する。
【００２２】
本実施例に係る詰粒移送機構４１を含む単粒水分計１は、図１に示すように、直方体箱型状の本体２と、この本体２の前面側を開放又は閉塞し得るように本体２に対して着脱可能に配置した前面カバー体３と、を有している。
【００２３】
前記前面カバー体３の上部側には、一対のスクリュー１１、１２を配置するための上部開口４を設け、また、前記本体２の下部側には、詳細は後述するトレイ３３用のトレイ装着口５を設けている。
【００２４】
本実施例に係る単粒水分計１は、前記本体２の内部において、前記前面カバー体３の近くに位置するとともに穀類の単粒Ｍを通過させる例えば瓢箪形形状の通過穴７を具備する第１の支持基板６と、この第１の支持基板６と所定間隔隔てた位置に平行に対向配置とした第２の支持基板８とを起立配置している。
【００２５】
そして、前記第１の支持基板６、第２の支持基板８に対して第１の支持軸９、第２の支持軸１０を水平方向で平行に配置し、これら第１の支持軸９、第２の支持軸１０を貫いて前記前面カバー体３側（第１の支持基板の外面側）に突出させた部分に、前記上部開口４内を第１の支持軸９側に挿入した単粒Ｍにおける移送用の一対のスクリュー１１、１２を装着し、これにより、一対のスクリュー１１、１２を回転可能に軸支するように構成している。
【００２６】
前記一対のスクリュー１１、１２は、連動して回転することによりその上方から投入される単粒Ｍを前記通過穴７側に順に移送する単粒移送機構部１３を構成するものである。
【００２７】
本実施例に係る単粒水分計１は、前記第１の支持基板６及び第２の支持基板８間で前記通過穴７の下方領域において、これら第一の支持基板６、第２の支持基板８に対して水平方向で平行に配置した第１の電極支持軸２１、第２の電極支持軸２２に各々嵌着して軸支され、回転駆動されて、単粒Ｍを圧砕し圧砕単粒Ｍａの特性に応じた測定信号を出力する一対の電極ロール２３、２４を具備している。
【００２８】
一対の電極ロール２３、２４は、導電材により形成され、その周面同士を所定間隔をもつて間に単粒圧砕領域を形成するように対向配置したものである。
【００２９】
また、前記第１の支持基板６における通過穴７の下部には、図４に示すように、この通過穴７を通過した単粒ＭをＵ状に形成した滑落ガイド板２６と、この滑落ガイド板２６を経た単粒Ｍを前記一対の電極ロール２３、２４の上方からその中央部に滑落させる例えば平板状に形成した単粒滑落板２５を配置している。
【００３０】
更に、本実施例に係る単粒水分計１は、前記一対の電極ロール２３、２４及び一対のスクリュー１１，１２を回転駆動する回転駆動部３１と、前記一対の電極ロール２３、２４から出力される圧砕単粒Ｍａの特性に応じた測定信号を基に、前記単粒Ｍの水分値、平均水分値、偏差、測定粒数、度数分布等の特性を求める単粒特性測定部３２と、前記トレイ装着口５位置で本体２に対して着脱可能に配置され、前記一対の電極ロール２３、２４により挟まれて圧砕され、下方に降下して傾斜配置のガイド板３６を経て落下してくる圧砕単粒Ｍａを集積するトレイ３３と、を有している。
【００３１】
前記回転駆動部３１は、前記第１の電極支持軸２１、第２の電極支持軸２２のうちいずれか一方を回転駆動する例えばモータ、減速機を用いた電極ロール駆動部３４、いずれか一方の回転力を他方に伝達する図示しない歯車機構、更に、電極ロール駆動部３４による回転力を前記第１の支持軸９、第２の支持軸１０に伝達しこれらを連動して回転させる回転力伝達機構部３５を具備している。
【００３２】
前記一対の電極ロール２３、２４は、信号ケーブル３７により前記単粒特性測定部３２に接続され、測定信号を単粒特性測定部３２に伝送するように構成している。
【００３３】
更に、本実施例に係る単粒水分計１は、この単粒水分計１を動作させるための所要の電力を供給するための図示しない電源ケーブルを備えている。
【００３４】
次に、前記詰粒移送機構４１について、図２、図３乃至図６を参照して詳細に説明する。
【００３５】
前記詰粒移送機構４１は、前記一対のスクリュー１１、１２のうちの少なくとも一方のスクリュー、例えばスクリュー１１を支持する第１の支持軸９における前記第１の支持基板６の近傍位置に対して図５、図６に示す除去円板４２を配置したことが特徴である。
【００３６】
すなわち、前記除去円板４２は、略円板状で、前記第１の支持基板６の近傍位置において第１の支持軸９によりスクリュー１１と同軸で軸支されてスクリュー１１と共に回転駆動されるとともに、その外周の一部に前記通過穴７の領域を回転領域とする外周角部を丸めた爪部４３を直角方向に突出させた構成としている。
【００３７】
一方、前記第１の支持基板６における第１の支持軸９の端部を支持する部分には、図３に示すように、前記除去円板４２の爪部４３の回転領域に沿い、かつ、両端部が前記通過穴７から単粒滑落板２５の上面に連なる爪部通過用円形凹溝６ａを設けている。
【００３８】
上述した本実施例の詰粒移送機構４１によれば、前記回転駆動部３１を動作させ回転力伝達機構部３５に回転力を伝達して、スクリュー１１、１２、更には前記除去円板４２を図６に示す矢印方向に回転させることによって、スクリュー１１、１２により移送され、前記通過穴７の領域又はその近傍領域に詰まる単粒Ｍを前記爪部４３の回転による当接力で詰まり状態を生じさせることなく円滑に前記通過穴７を通過させ、前記滑落ガイド板２６、単粒滑落板２５を経て前記一対の電極ロール２３、２４の上方からその中央部に滑落させることができる。
【００３９】
また、本実施例の詰粒移送機構４１を含む単粒水分計１によれば、上述した詰粒移送機構４１が上述した効果を奏することから、前記通過穴７の領域又はその近傍領域における単粒Ｍの詰まりを無くしつつ一対の電極ロール２３、２４により単粒Ｍを圧砕し圧砕単粒Ｍａの特性に応じた測定信号を得て、単粒特性測定部３２により前記単粒Ｍの水分値、平均水分値、偏差、測定粒数、度数分布等の特性を効率よく測定することができる。
【産業上の利用可能性】
【００４０】
本考案の詰粒移送機構は、卓上型単粒水分測定器や、穀類の水分乾燥機に組み込む単粒水分測定器用として広範に適用可能である。
【符号の説明】
【００４１】
１    単粒水分計
２    本体
３    前面カバー体
４    上部開口
５    トレイ装着口
６    第１の支持基板
６ａ  爪部通過用円形凹溝
７    通過穴
８    第２の支持基板
９    第１の支持軸
１０    第２の支持軸
１１    スクリュー
１２    スクリュー
１３    単粒移送機構部
２１    第１の電極支持軸
２２    第２の電極支持軸
２３    電極ロール
２４    電極ロール
２５    単粒滑落板
２６    滑落ガイド板
３１    回転駆動部
３２    単粒特性測定部
３３    トレイ
３４    電極ロール駆動部
３５    回転力伝達機構部
３６    ガイド板
３７    信号ケーブル
４１    詰粒移送機構
４２    除去円板
４３    爪部
Ｍ    単粒
Ｍａ  圧砕単粒
【図１】
0003198551.tif 000003
【図２】
0003198551.tif 000004
【図３】
0003198551.tif 000005
【図４】
0003198551.tif 000006
【図５】
0003198551.tif 000007
【図６】
0003198551.tif 000008